(57)【要約】【課題】太陽電池パネルが設置される屋根に、設置個数の自由度高く雪止めを設けることができる雪止め構造、及び、雪止め構造に使用される雪止め具を提供する。【解決手段】雪止め構造を、屋根上に隣接して配されている陽電池パネルＰの内、軒側に配されている太陽電池パネルの棟側の端辺を保持して屋根面に固定されている第一枠体５０ａ、及び、棟側に配されている太陽電池パネルの軒側の端辺を保持して屋根面に固定されている第二枠体５０ｂによって、雪止め具１が挟持されている構成とする。雪止め具１を、上下方向に延びている平板状の立壁部１０と、立壁部の下端から屈曲して延出している第一下端部１１と、立壁部の上端から第一下端部と同一の方向に延出している第一枠係止部１２と、立壁部の上端から上方に突出している平板状の雪止め部２０と、立壁部の下端から第一下端部とは反対の方向に延出している第二下端部２１とを、具備する構成とする。【選択図】図２
2015045128.tif 000002
【特許請求の範囲】
【請求項１】
屋根上に隣接して配されている太陽電池パネルの内、軒側に配されている太陽電池パネルの棟側の端辺を保持して屋根面に固定されている第一枠体、及び、棟側に配されている太陽電池パネルの軒側の端辺を保持して屋根面に固定されている第二枠体によって、雪止め具が挟持されている
ことを特徴とする雪止め構造。
【請求項２】
前記雪止め具は、
上下方向に延びている平板状で、前記第一枠体及び前記第二枠体の間に位置している立壁部と、
該立壁部の下端から屈曲して延出し、前記第一枠体の底面部の下方に位置している第一下端部と、
前記立壁部の上端から前記第一下端部と同一の方向に延出して、前記第一枠体に上方から引掛けられて係止されている第一枠係止部と、
前記立壁部の上端から、前記第一枠体及び前記第二枠体の上面部より高い高さまで突出している平板状の雪止め部と、
前記立壁部の下端から前記第一下端部とは反対の方向に延出して、前記第二枠体の底面部の下方に位置している第二下端部、及び、前記立壁部の下端から前記第一下端部とは反対の方向に延出していると共に上方に突出し、前記第二枠体の側面部に当接している第二枠当接部の少なくとも一方と
を備えており、
前記第一枠体及び前記第二枠体は、それぞれの底面部より下方に空隙が形成されるように屋根面に固定されている
ことを特徴とする請求項１に記載の雪止め構造。
【請求項３】
前記雪止め具の前記第一枠係止部は、前記第一枠体から外方に突出している枠突出部に係止されており、
前記雪止め具は、前記第一下端部から上方に突出して前記第一枠体の側面部に当接している第一枠当接部を更に具備する
ことを特徴とする請求項１または請求項２に記載の雪止め構造。
【請求項４】
請求項１乃至請求項３の何れか一つに記載の雪止め構造に使用される雪止め具であって、
上下方向に延びている平板状の立壁部と、
該立壁部の下端から屈曲して延出している第一下端部と、
前記立壁部の上端から前記第一下端部と同一の方向に延出している第一枠係止部と、
前記立壁部の上端から上方に突出している平板状の雪止め部と、
前記立壁部の下端から前記第一下端部とは反対の方向に延出している第二下端部、及び、前記立壁部の下端から前記第一下端部とは反対の方向に延出していると共に上方に突出している第二枠当接部の少なくとも一方と
を具備することを特徴とする雪止め具。
【発明の詳細な説明】
【技術分野】
【０００１】
本発明は、太陽電池パネルが設置された屋根の雪止め構造、及び、該雪止め構造に使用される雪止め具に関するものである。
【背景技術】
【０００２】
屋根上に積もった雪が屋根面を滑り落ち、軒先から落下することを抑止するために、降雪のある地方では傾斜した屋根に雪止めのための構造を設けるのが一般的である。太陽電池パネルが設置された屋根においてもその要請があり、太陽電池パネルの外周縁を保持する枠体に、雪止めを一体に形成したものが存在する。しかしながら、枠体に雪止めが一体に形成されていると、雪止めが破損したときに枠体全体を取り替える必要がある。また、雪止めを有する枠体と、雪止めの必要がない屋根に設置される太陽電池パネル用の枠体とを、別個に製造する必要がある。
【０００３】
一方、太陽電池パネルを屋根に固定するための部材を介して、雪止めを設けることが提案されている（特許文献１参照）。特許文献１の技術では、屋根上に間隔を開けて平行に並設される長尺の桟材（レール）に、隣接して配される太陽電池パネルの枠体を載置し、二つの枠体間に配した支持部材によって枠体を桟材に固定した上で、二つの枠体間で、支持部材を被覆するカバーを支持部材に取り付けている。そして、このカバーに雪止めが一体に設けられている。これにより、雪止めが破損したときには、雪止めが設けられているカバーだけを取り換えればよい。また、雪止めの必要がない屋根に太陽電池パネルを設置する場合と、共通の枠体を使用できる利点がある。
【０００４】
しかしながら、特許文献１の技術では、雪止めが設けられているカバーが、支持部材を介して桟材に取り付けられる構成であるため、雪止めの数は必然的に桟材の数に限定されてしまう。雪の滑落のしやすさは、積雪量、屋根の傾斜の大きさ、屋根の長さ、屋根が向いている方向など、種々の条件によって相違する。また、隣家の敷地や公共の道路に面した屋根など、雪の滑落を防止する重要度が高い屋根と、それほどではない屋根とがある。そのため、太陽電池パネルが設置される屋根に雪止めを設けることができ、且つ、雪止めの個数の自由度が高い技術が要請されていた。
【発明の概要】
【発明が解決しようとする課題】
【０００５】
そこで、本発明は、上記の実情に鑑み、太陽電池パネルが設置される屋根に、設置個数の自由度高く雪止めを設けることができる雪止め構造、及び、該雪止め構造に使用される雪止め具の提供を、課題とするものである。
【課題を解決するための手段】
【０００６】
上記の課題を解決するため、本発明にかかる雪止め構造は、「屋根上に隣接して配されている太陽電池パネルの内、軒側に配されている太陽電池パネルの棟側の端辺を保持して屋根面に固定されている第一枠体、及び、棟側に配されている太陽電池パネル軒側の端辺を保持して屋根面に固定されている第二枠体によって、雪止め具が挟持されている」ものである。
【０００７】
本構成では、雪止め具は、それぞれ太陽電池パネルの端辺を保持する第一枠体及び第二枠体によって挟持されているため、上記の従来技術とは異なり、太陽電池パネルを屋根上に設置するために第一枠体及び第二枠体を屋根面に固定するめの部材の数とは無関係に、雪止め具の設置個数を設定することができる。そのため、太陽電池パネルが設置される地域の降雪量、屋根の傾斜、屋根の長さ、屋根が向いている方向、雪の滑落を防止する重要度など、種々の条件に応じて、高い自由度で雪止め具の設置個数を設定することができる。
【０００８】
また、雪止め具は、それぞれ屋根面に固定されている第一枠体と第二枠体とで挟持されている構成であり、雪止め具自体はボルトやビス等の締結部材で他の部材に固定する必要がない。従って、雪止め具は極めて簡易な構成であり、雪止め構造を容易に構築することができる。
【０００９】
加えて、第一枠体及び第二枠体は、それぞれ屋根の横方向に延びる枠体である。仮に、第一枠体及び第二枠体が屋根の流れ方向に延びる枠体である場合は、第一枠体と第二枠体とで挟持された雪止め具が、自重や積雪の重みで軒側に移動してしまうおそれがある。これに対して、本構成では、第一枠体及び第二枠体がそれぞれ屋根の横方向に延びる枠体であるため、第一枠体と第二枠体とによって雪止め具が安定して挟持される。
【００１０】
本発明にかかる雪止め構造は、上記構成において、「前記雪止め具は、上下方向に延びている平板状で、前記第一枠体及び前記第二枠体の間に位置している立壁部と、該立壁部の下端から屈曲して延出し前記第一枠体の底面部の下方に位置している第一下端部と、前記立壁部の上端から前記第一下端部と同一の方向に延出して前記第一枠体に上方から引掛けられて係止されている第一枠係止部と、前記立壁部の上端から、前記第一枠体及び前記第二枠体の上面部より高い高さまで突出している平板状の雪止め部と、前記立壁部の下端から前記第一下端部とは反対の方向に延出して前記第二枠体の底面部の下方に位置している第二下端部、及び、前記立壁部の下端から前記第一下端部とは反対の方向に延出していると共に上方に突出し、前記第二枠体の側面に当接している第二枠当接部の少なくとも一方とを備えており、前記第一枠体及び前記第二枠体は、それぞれの底面部の下方に空隙が形成されるように屋根面に固定されている」ものとすることができる。
【００１１】
本構成では、立壁部の上端から平板状の雪止め部が第一枠体及び第二枠体の上面部より高い高さまで突出しているため、この雪止め部によって太陽電池パネル上の積雪の滑落を抑止することができる。
【００１２】
第一枠係止部が係止されている第一枠体は、屋根上に隣接して配されている太陽電池パネルの内、軒側の太陽電池パネルの棟側の端辺を保持する枠体であるため、平板状の雪止め部の両面の内、第一枠係止部側ではない方の面が、積雪を受け止めることになる。仮に、雪止め部の両面の内、第一枠係止部側の面が積雪の荷重を受けるとすると、その荷重によって雪止め部及び立壁部が傾き、第一枠体に上方から引掛けられて係止されている第一枠係止部が外れるおそれがある。これに対し、本構成では、雪止め部が積雪の荷重を受ける面とは反対側に第一枠係止部が延出しているため、積雪の荷重によって第一枠係止部の係止が外れるおそれがないものとなっている。
【００１３】
また、雪止め具の第一下端部は、第一枠体の底面部の下方に位置している。そのため、第一枠係止部で第一枠体に係止された雪止め具に、立壁部の下方が第一枠体に近づくように回転させる方向の外力が加わっても、第一下端部が第一枠体の底面部に当接することによって、その回転が阻止される。これにより、第一枠体及び第二枠体に挟持されている雪止め具の姿勢が、安定的に保持される。加えて、本構成の雪止め構造を構築する段階、すなわち、第一枠体及び第二枠体を屋根面に固定することにより太陽電池パネルを屋根上に設置する施工中で、雪止め具がまだ完全に第一枠体及び第二枠体に挟持されていない状態であっても、雪止め具が意図せず上記方向に回転することが抑止されるため、第一枠体及び第二枠体を屋根面に固定し、雪止め具を第一枠体及び第二枠体に挟持させる作業が行い易い。
【００１４】
更に、雪止め具は、第二枠体の下方に位置している第二下端部、及び、第二枠体の側面に当接している第二枠当接部の少なくとも一方を備えている。そのため、第一枠係止部で第一枠体に係止された雪止め具に、立壁部の下方が第二枠体に近づくように回転させる方向の外力が加わっても、第二下端部が第二枠体の底面部に当接することによって、或いは、第二枠当接部が第二枠体の側面に当接することによって、また或いはその両方の作用によって、上記方向の回転が阻止される。これにより、雪止め部に積雪の荷重がかかっている場合など、第一枠体及び第二枠体に挟持されている雪止め具に上記方向の外力が加わっても、雪止め具の姿勢が安定的に保持される。加えて、本構成の雪止め構造を構築する段階で、雪止め具がまだ完全に第一枠体及び第二枠体に挟持されていない状態であっても、雪止め具が意図せず上記方向に回転することが抑止されるため、第一枠体及び第二枠体を屋根面に固定し、雪止め具を第一枠体及び第二枠体に挟持させる作業が行い易い。
【００１５】
なお、第一下端部が「第一枠体の底面部の下方に位置している」状態、及び、第二下端部が「第二枠体の底面部の下方に位置している」状態は、それぞれ第一下端部が第一枠体の底面部に下方から当接している状態、第二下端部が第二枠体の底面部に下方から当接している状態を含むものである。
【００１６】
本発明にかかる雪止め構造は、上記構成に加え、「前記雪止め具の前記第一枠係止部は、前記第一枠体から外方に突出している枠突出部に係止されており、前記雪止め具は、前記第一下端部から上方に突出して前記第一枠体の側面部に当接している第一枠当接部を更に具備する」ものとすることができる。
【００１７】
本構成では、立壁部の上端から延出している第一枠係止部が、第一枠体から外方に突出している枠突出部に係止されているため、必然的に第一枠体の側面部と立壁部との間に空隙が生じる。第一下端部から上方に突出している第一枠当接部は、この空隙において、第一枠体の側面部に当接している。これにより、雪止め部に積雪の荷重がかかった場合など、雪止め部及び立壁部に、第二枠体側から外力が加わった場合に、雪止め部及び立壁部が受ける負荷を、第一下端部を介して立壁部と連結されて第一枠体の側面部に当接している第一枠当接部も負担する。これにより、雪止め具が、上記方向から作用する外力によって変形しにくい。
【００１８】
なお、第一枠当接部が立壁部に連結されることにより、第一下端部、第一枠当接部、立壁部、及び、第一枠当接部を立壁部と連結している部分で、全体として筒状を形成している構成とすれば、雪止め具の機械的強度及び剛性がより高められ、より変形しにくくなるため望ましい。
【００１９】
次に、本発明にかかる雪止め具は、「上下方向に延びている平板状の立壁部と、該立壁部の下端から屈曲して延出している第一下端部と、前記立壁部の上端から前記第一下端部と同一の方向に延出している第一枠係止部と、前記立壁部の上端から上方に突出している平板状の雪止め部と、前記立壁部の下端から前記第一下端部とは反対の方向に延出している第二下端部、及び、前記立壁部の下端から前記第一下端部とは反対の方向に延出していると共に上方に突出している第二枠当接部の少なくとも一方とを具備する」ものである。
【００２０】
これは、上記の雪止め構造に使用される雪止め具である。本構成の雪止め具は、第一枠係止部を第一枠体に係止させ、隣接する二つの太陽電池パネル間で第一枠体及び第二枠体に挟み込まれるように立壁部を配置した状態で、第一枠体及び第二枠体がそれぞれ屋根面に固定されることにより、第一枠体及び第二枠体に挟持され、屋根上に設置された状態となる。その状態で、第一下端部が第一枠体の下方に位置するように、雪止め具を設計することが可能である。また、雪止め部が第二下端部を具備する場合は第二下端部が第二枠体の底面部の下方に位置するように、第二枠当接部を具備する場合は第二枠当接部が第二枠体の側面部に当接するように、雪止め具を設計することが可能である。
【発明の効果】
【００２１】
太陽電池パネルが設置される屋根に、設置個数の自由度高く雪止めを設けることができる雪止め構造、及び、該雪止め構造に使用される雪止め具を、提供することができる。
【図面の簡単な説明】
【００２２】
【図１】本発明の第一実施形態である雪止め具の斜視図である。
【図２】図１の雪止め具を太陽電池パネルの枠体に保持させた状態の断面図である。
【図３】（ａ）第二実施形態の雪止め具、（ｂ）第三実施形態の雪止め具、及び（ｃ）第四実施形態の雪止め具、を太陽電池パネルの枠体に保持させた状態の断面図である。
【図４】本発明の雪止め具の設置を説明する分解斜視図である。
【図５】太陽電池パネルを、枠体及び固定部材を介して桟材に固定した状態を例示する断面図である。
【発明を実施するための形態】
【００２３】
以下、本発明の第一実施形態である雪止め具１、及び、雪止め具１を使用した雪止め構造について、図１及び図２を用いて説明する。第一実施形態の雪止め具１は、上下方向に延びている平板状の立壁部１０と、立壁部１０の下端から屈曲して延出している第一下端部１１と、立壁部１０の上端から第一下端部１１と同一の方向に延出している第一枠係止部１２と、立壁部１０の上端から上方に突出している平板状の雪止め部２０と、立壁部１０の下端から第一下端部１１とは反対の方向に延出している第二下端部２１と、第一下端部１１から上方に突出している第一枠当接部１３とを具備している。
【００２４】
より詳細に説明すると、第一下端部１１及び第二下端部２１は共に平板状で連続している。第一枠係止部１２は、第一下端部１１とほぼ平行に延出していると共に、先端が下方に向けて鉤状に屈曲している。第一枠当接部１３は、第一下端部１１の端辺より立壁部１０よりの位置で、第一下端部１１に対してほぼ直角に立ち上がっており、その上端は第一枠係止部１２の先端より少し低い高さまで至っている。第一枠当接部１３の上端は、第一連結部１４によって立壁部１０に連結されており、第一枠当接部１３、第一連結部１４、立壁部１０、及び、第一下端部１１は、全体として筒状を呈している。雪止め部２０が上下に延びる方向は、第一下端部１１及び第二下端部２１に対して直交している。すなわち、第一枠当接部１３と雪止め部２０は平行である。一方、立壁部１０は上端に向かって第一枠当接部１３に近づくように傾斜している。
【００２５】
なお、雪止め具１は、金属によって一体に形成されている。このような一体の雪止め具１は、例えば、アルミニウム等の金属の押出し成形によって形成された、軸方向に直交する断面が単一形状の長尺材を、所望の長さに切断することにより製造することができる。
【００２６】
雪止め具１を挟持する第一枠体５０ａ及び第二枠体５０ｂは、同一の構成であり、雪止め具１との位置関係においてのみ区別されるものである。第一枠体５０ａ及び第二枠体５０ｂは、それぞれ軸方向に直交する断面が単一形状の長尺材であり、雪止め具１と同様に金属の押出し成形によって形成することができる。
【００２７】
第一枠体５０ａ及び第二枠体５０ｂは、それぞれ上下に延びている平板状の側面部５３と、側面部５３の上端からほぼ直角に延出している上面部５１と、上面部５１より下方で側面部５３から上面部５１と同一の方向に延出しており、上面部５１との間で太陽電池パネルＰの端辺を保持する下保持部５２と、側面部５３の下端から上面部５１及び下保持部５２と同一の方向に延出している底面部５５と、下保持部５２とほぼ同じ高さで、側面部５３から外方に（上面部５１、下保持部５２、及び底面部５５の延出方向とは反対の方向に）突出している枠突出部５４とを備えている。枠突出部５４は側面部５３に対して直角に突出していると共に、先端が上方に向けて鉤状に屈曲している。
【００２８】
雪止め具１を設置する際は、上面部５１と下保持部５２との間に太陽電池パネルＰを保持した第一枠体５０ａを、底面部５５の下方に空隙が形成される状態で屋根面に固定し、枠突出部５４に第一枠係止部１２を上方から引掛けるように係止させる。枠突出部５４は先端が上方に屈曲した鉤状であり、第一枠係止部１２は先端が下方に屈曲した鉤状であるため、両者が先端で係合する。次に、第一枠係止部１２が枠突出部５４と係合している部分を中心に雪止め具１を回転させるように、第一枠体５０ａ側に近付け、第一枠当接部１３を第一枠体５０ａの側面部５３に当接させると共に、第一下端部１１を第一枠体５０ａの底面部５５より下方に位置させる。
【００２９】
この状態で、上面部５１と下保持部５２との間に太陽電池パネルＰを保持した第二枠体５０ｂを雪止め具１に近付け、第二枠体５０ｂの枠突出部５４を雪止め具１の立壁部１０に当接させると共に、雪止め具１の第二下端部２１を第二枠体５０ｂの底面部５５より下方に位置させる。その後、第二枠体５０ｂを、底面部５５の下方に空隙が形成される状態で屋根面に固定する。
【００３０】
これにより、雪止め具１が、ボルトやビス等の締結部材によって他の部材に固定されることなく、第一枠体５０ａ及び第二枠体５０ｂによって挟持されるのみで屋根上に設置された状態となる。すなわち、屋根上に隣接して配されている太陽電池パネルＰの内、軒側に配されている太陽電池パネルＰの棟側の端辺を保持して屋根面に固定されている第一枠体５０ａ、及び、棟側に配されている太陽電池パネルＰの軒側の端辺を保持して屋根面に固定されている第二枠体５０ｂによって、雪止め具１が挟持されている雪止め構造、が形成される。
【００３１】
より具体的に説明すると、この雪止め構造は上記の雪止め構造において、雪止め具１は、上下方向に延びている平板状で、第一枠体５０ａ及び第二枠体５０ｂの間に位置している立壁部１０と、立壁部１０の下端から屈曲して延出し第一枠体５０ａの底面部５５の下方に位置している第一下端部１１と、立壁部１０の上端から第一下端部１１と同一の方向に延出して第一枠体５０ａの側面部５３から外方に突出している枠突出部５４に上方から引掛けられて係止されている第一枠係止部１２と、立壁部１０の上端から、第一枠体５０ａ及び第二枠体５０ｂの上面部５１より高い高さまで突出している平板状の雪止め部２０と、立壁部１０の下端から第一下端部１１とは反対の方向に延出して第二枠体５０ｂの底面部５５の下方に位置している第二下端部２１と、第一下端部１１から上方に突出して第一枠体５０ａの側面部５３に当接している第一枠当接部１３と、第一枠当接部１３の上端を立壁部１０と連結している第一連結部１４とを備えており、第一枠体５０ａ及び第二枠体５０ｂは、それぞれの底面部５５の下方に空隙が形成されるように屋根面に固定されている雪止め構造、である。
【００３２】
なお、本実施形態では、第一下端部１１及び第二下端部２１は、それぞれ第一枠体５０ａ及び第二枠体５０ｂの底面部５５にほぼ当接している。これは、後述の第二実施形態〜第四実施形態の雪止め構造でも同様である。
【００３３】
ここで、第一枠体５０ａ及び第二枠体５０ｂを、それぞれの底面部５５の下方に空隙が形成されるように屋根面に固定するには、例えば、図４に示すように、屋根面に屋根の流れ方向に平行に長尺の桟材９０を並設し、固定部材７０を介して第一枠体５０ａ及び第二枠体５０ｂを桟材９０に取り付ける。これにより、桟材９０と桟材９０との間では、第一枠体５０ａ及び第二枠体５０ｂの底面部５５は桟材９０の高さ分だけ屋根面より高く位置し、下方に空隙が形成される。
【００３４】
また、図５（ａ），（ｂ）に例示するように、第一枠体５０ａ及び第二枠体５０ｂを桟材９０に固定する固定部材８０であって、第一枠体５０ａ及び第二枠体５０ｂそれぞれの底面部５５を、桟材９０の上面より高い位置で載置する載置部８２，８２ｂを有する固定部材８０を使用すれば、桟材９０の向きは問わない。つまり、枠体が桟材の上面に載置されるように桟材に固定される場合は、桟材を屋根の流れ方向に対して平行としなければ、枠体の底面部の下方に空隙が形成されることがない。これに対し、第一枠体５０ａ及び第二枠体５０ｂが、その底面部５５が桟材９０の上面より高い位置となるように固定部材によって固定される場合は、桟材９０の方向が屋根の流れ方向であっても、桟材９０の方向が屋根の横方向（流れ方向に直交する方向）であっても、問題なく第一枠体５０ａと第二枠体５０ｂとの間に雪止め具１を挟持させることができる。
【００３５】
ここで、図５の固定部材８０を具体的に説明すると、固定部材８０は二つの固定具８０ａ，８０ｂからなる。固定具８０ａは、桟材９０の上面に載置される平板状の基部８１と、基部８１の一端に連設された縦長の筒状で、その上面が第一枠体５０ａの枠突出部５４を載置する載置部８２となっていると共に、基部８１から載置部８２までの高さが第一枠体５０ａにおける底面部５５から枠突出部５４までの高さより高く設定された筒部８３とを有している。基部８１には、ボルトを挿通する孔部８５が穿設されている。
【００３６】
一方、固定具８０ｂは、固定具８０ａの基部８１に載置される平板状の基部８１ｂと、基部８１ｂの一端から立ち上がり上方に延びている支持壁８６と、支持壁８６の上端から両側に延出している係止押圧部８７と、支持壁８６の途中から基部８１ｂと同一の方向に延出している第二載置部８２ｂとを有している。第二載置部８２ｂは、第二枠体５０ｂの底面部５５を載置する部分である。基部８１ｂには、ボルトを挿通する孔部８５ｂが穿設されている。基部８１ｂの端部と第二載置面８２ｂの端部とは、支持壁８６とは反対側で連結壁８３ｂによって連結されており、基部８１ｂ、第二載置部８２ｂ、連結壁８３ｂ、及び、支持壁８６の一部で、全体として扁平な筒状を呈している。係止押圧部８７は、縦断面で支持壁８６とＴ字を形成しており、両先端はそれぞれ下方に向けて鉤状に屈曲している。
【００３７】
このような構成の固定部材８０で第一枠体５０ａ及び第二枠体５０ｂを桟材９０に固定する際は、まず、固定具８０ｂの孔部８５ｂ及び固定具８０ａの孔部８５に上から挿通したボルト９９を、桟材９０の軸方向に沿って上面に設けられたスリット９０ｓ（図４参照）を通し、スライド体９１に設けられた雌ネジ部９１ｂと螺合させる。スライド体９１はスリット９１ｓを通過しない大きさである。ボルト９９を雌ネジ部９１ｂに対して完全には締め付けていない仮留め状態で、太陽電池パネルＰを保持している第一枠体５０ａの枠突出部５４を、固定具８０ａの載置部８２に載置すると共に、固定具８０ｂの係止押圧部８７を第一枠体５０ａの枠突出部５４に上方から引掛ける。枠突出部５４は先端が上方に屈曲した鉤状であるため、先端が下方に向けて鉤状に屈曲している係止押圧部８７と係合する。この状態で、ボルト９９を雌ネジ部９１ｂに対して締め付け、固定部材８０を桟材９０に固定すると共に、固定部材８０を介して第一枠体５０ａを桟材９０に固定する。
【００３８】
次に、太陽電池パネルＰを保持している第二枠体５０ｂを、軒側より棟側が高くなるように斜めにした状態で、第二枠体５０ｂの枠突出部５４の先端を係止押圧部８７の先端に下方からあてがい、この接触点を中心に第二枠体５０ｂを回転させるように移動させ、第二枠体５０ｂの枠突出部５４を係止押圧部８７の下方に押し込むと共に、第二枠体５０ｂの底面部５５を固定具８０ｂの第二載置部８２ｂ上に載置する。これにより、第一枠体５０ａ及び第二枠体５０ｂの枠突出部５４が、それぞれ係止押圧部８７によって上方から押圧されるように、固定具８０ｂに対して固定される。従って、第一枠体５０ａ及び第二枠体５０ｂが、それぞれの底面部５５が桟材９０の上面より高い位置となるように、すなわち、第一枠体５０ａ及び第二枠体５０ｂそれぞれの底面部５５の下方に空隙が形成されるように桟材９０に固定され、桟材９０を介して屋根面に固定された状態となる。
【００３９】
なお、図４及び図５を用いて例示した、第一枠体５０ａ及び第二枠体５０ｂを屋根面に固定する方法及び固定構造は、後述の第二実施形態〜第四実施形態の雪止め構造においても同様である。
【００４０】
上記のように、第一実施形態の雪止め具１及び雪止め構造によれば、雪止め具１は第一枠体５０ａ及び第二枠体５０ｂに挟持されるのみによって屋根上に設置されるため、第一枠体５０ａ及び第二枠体５０ｂを屋根面に固定するめの部材の数とは無関係に、高い自由度で雪止め具１の設置個数を設定することができる。また、雪止め具１自体をボルトやビス等の締結部材で他の部材に固定する必要がないため、雪止め構造を簡易に構築することができる。
【００４１】
第一枠体５０ａ及び第二枠体５０ｂは、それぞれ屋根の横方向に延びる枠体であるため、これらの枠体に挟持のみによって保持されている雪止め具１が、自重や積雪の重みによって移動するおそれがなく、安定して保持される。
【００４２】
第一枠係止部１２は、軒側の第一枠体５０ａの枠突出部５４に上方から引掛けられて係止されているため、雪止め部２０に棟側から積雪の荷重がかかった際に、第一枠係止部１２の係止が外れるおそれがないものとなっている。加えて、第一実施形態では立壁部１０が上方に向かって軒側に傾斜しているため、雪止め部２０に積雪の荷重がかかることによる、雪止め部２０と立壁部１０との境界付近における応力の発生が抑制されている。
【００４３】
加えて、第一下端部１１から上方に突出した第一枠突出部１３が第一枠体５０ａの側面部５３に当接しているため、雪止め部２０に積雪の荷重がかかった際に、雪止め部２０及び立壁部１０が受ける負荷を、第一枠当接部１３も負担する。これにより、雪止め具１が積雪の荷重で変形しにくい。特に、第一実施形態では第一枠当接部１３が第一連結部１４で立壁部１０と連結されており、第一下端部１１、第一枠当接部１３、第一連結部１４、及び、立壁部１０が全体で筒状を形成しているため、雪止め具１の機械的強度及び剛性がより高められている。
【００４４】
第一下端部１１は、第一枠体５０ａの底面部５５の下方に位置しほぼ当接しているため、立壁部１０の下方が第一枠体５０ａに近づくように雪止め部２０を回転させる方向に外力が作用しても、第一下端部１１によって、その回転が阻止される。また、第二下端部２１は、第二枠体５０ｂの底面部５５の下方に位置しほぼ当接しているため、立壁部１０の下方が第二枠体５０ｂに近づくように雪止め部２０を回転させる方向に外力が作用しても、第二下端部２１によって、その回転が阻止される。従って、雪止め構造において雪止め具１の姿勢が安定していると共に、雪止め構造を構築する段階で、雪止め具１がまだ完全に第一枠体５０ａ及び第二枠体５０ｂに挟持されていない状態であっても、雪止め具１が意図せず回転することが抑止され、第一枠体５０ａ及び第二枠体５０ｂを屋根面に固定し、雪止め具１を第一枠体５０ａ及び第二枠体５０ｂに挟持させる作業が行い易い。
【００４５】
次に、第二実施形態の雪止め具２及び雪止め構造について、図３（ａ）を用いて説明する。第二実施形態の雪止め具２が第一実施形態の雪止め具１と相違している点は、立壁部１０ｂが雪止め部２０と同一の方向に延び、第一下端部１１とほぼ直角をなしている点、及び、第一下端部１１から上方に突出している第一枠当接部１３ｂが、第一実施形態の第一枠当接部１３に比べて高さが低く、立壁部１０ｂと連結されていない点である。
【００４６】
第二実施形態の雪止め具２を挟持する第一枠体５０ｃ及び第二枠体５０ｄが、第一実施形態の雪止め具２を挟持する第一枠体５０ａ及び第二枠体５０ｂと相違している点は、枠突出部５４ｂが第一枠体５０ｃの側面部５３から突出する長さが、第一実施形態の枠突出部５４より小さい点、底面部５５から側面部５３と平行に立ち上がった連結壁５６によって、下保持部５２の先端部が底面部５５と連結されている点である。
【００４７】
雪止め具２の設置は、第一実施形態と同様に行うことができる。これにより、次のような雪止め構造が形成される。すなわち、屋根上に隣接して配されている太陽電池パネルＰの内、軒側に配されている太陽電池パネルＰの棟側の端辺を保持して屋根面に固定されている第一枠体５０ｃ、及び、棟側に配されている太陽電池パネルＰの軒側の端辺を保持して屋根面に固定されている第二枠体５０ｄによって雪止め具２が挟持されており、雪止め具２は、上下方向に延びている平板状で、第一枠体５０ｃ及び第二枠体５０ｄの間に位置している立壁部１０ｂと、立壁部１０ｂの下端から屈曲して延出し第一枠体５０ｃの底面部５５の下方に位置している第一下端部１１と、立壁部１０ｂの上端から第一下端部１１と同一の方向に延出して第一枠体５０ｃの側面部５３から外方に突出した枠突出部５４ｂに上方から引掛けられて係止されている第一枠係止部１２と、立壁部１０ｂの上端から、第一枠体５０ｃ及び第二枠体５０ｄの上面部５１より高い高さまで突出している平板状の雪止め部２０と、立壁部１０ｂの下端から第一下端部１１とは反対の方向に延出して第二枠体５０ｄの底面部５５の下方に位置している第二下端部２１と、第一下端部１１から上方に突出して第一枠体５０ｃの側面部５３に当接している第一枠当接部１３ｂとを備えており、第一枠体５０ｃ及び第二枠体５０ｄは、それぞれの底面部５５の下方に空隙が形成されるように屋根面に固定されている雪止め構造、である。
【００４８】
第二実施形態の雪止め具２及び雪止め構造によっても、第一実施形態と同様の作用効果を得ることができる。枠突出部５４ｂの突出長さが小さく、雪止め具２の立壁部１０ｂが第一枠体５０ｃの側面部５３と近接しているため、第一枠当接部１３ｂの突出高さが第一実施形態の第一枠当接部１３より低くても同様の作用効果を奏する。
【００４９】
次に、第三実施形態の雪止め具３及び雪止め構造について、図３（ｂ）を用いて説明する。第三実施形態の雪止め具３が第二実施形態の雪止め具２と相違している点は、第一枠係止部１２ｂが鉤状を呈しておらず第一下端部１１と平行に延びている点、第一枠当接部を備えていない点、立壁部１０ｂの下端から第一下端部１１とは反対の方向に延出していると共に上方に突出している第二枠当接部２３を備えている点である。
【００５０】
第三実施形態の雪止め具３を挟持する第一枠体５０ｅ及び第二枠体５０ｆが、第二実施形態の雪止め具３を挟持する第一枠体５０ｃ及び第二枠体５０ｄと相違している点は、枠突出部を備えていない点である。
【００５１】
第三実施形態の雪止め構造が第二実施形態と相違する点は、雪止め具３の第一枠係止部１２ｂが第一枠体５０ｅの上面部５１に上方から引掛けられて係止されている点、立壁部１０ｂが第一枠体５０ｅの側面部５３と当接している点、第二枠当接部２３が第二枠体５０ｆの側面部５３と当接している点である。すなわち、屋根上に隣接して配されている太陽電池パネルＰの内、軒側に配されている太陽電池パネルＰの棟側の端辺を保持して屋根面に固定されている第一枠体５０ｅ、及び、棟側に配されている太陽電池パネルＰの軒側の端辺を保持して屋根面に固定されている第二枠体５０ｆによって雪止め具３が挟持されており、雪止め具３は、上下方向に延びている平板状で、第一枠体５０ｅ及び第二枠体５０ｆの間に位置している立壁部１０ｂと、立壁部１０ｂの下端から屈曲して延出し第一枠体５０ｅの底面部５５の下方に位置している第一下端部１１と、立壁部１０ｂの上端から第一下端部１１と同一の方向に延出して第一枠体５０ｅの上面部５１に上方から引掛けられて係止されている第一枠係止部１２ｂと、立壁部１０ｂの上端から、第一枠体５０ｅ及び第二枠体５０ｆの上面部５１より高い高さまで突出している平板状の雪止め部２０と、立壁部１０ｂの下端から第一下端部１１とは反対の方向に延出して第二枠体５０ｆの底面部５５の下方に位置している第二下端部２１と、立壁部１０ｂの下端から第一下端部１１とは反対の方向に延出していると共に上方に突出し、第二枠体５０ｆの側面部５３に当接している第二枠当接部２３とを備えており、第一枠体５０ｅ及び第二枠体５０ｆは、それぞれの底面部５５の下方に空隙が形成されるように屋根面に固定されている雪止め構造、である。
【００５２】
第三実施形態の雪止め具３及び雪止め構造によっても、第一実施形態及び第二実施形態と同様の作用効果を得ることができる。第二枠当接部２３は、雪止め具３を回転させるような外力に抗すると共に、第一枠体５０ｅと第二枠体５０ｆとの間隔を調整するスペーサ的な役割を兼ねている。
【００５３】
次に、第四実施形態の雪止め具４及び雪止め構造について、図３（ｃ）を用いて説明する。第四実施形態の雪止め具４が第三実施形態の雪止め具３と相違している点は、第二下端部を備えていない点である。
【００５４】
第一枠体５０ｅ及び第二枠体５０ｆについては、第三実施形態と同一である。従って、第四実施形態の雪止め構造は、屋根上に隣接して配されている太陽電池パネルＰの内、軒側に配されている太陽電池パネルＰの棟側の端辺を保持して屋根面に固定されている第一枠体５０ｅ、及び、棟側に配されている太陽電池パネルＰの軒側の端辺を保持して屋根面に固定されている第二枠体５０ｆによって雪止め具４が挟持されており、雪止め具４は、上下方向に延びている平板状で、第一枠体５０ｅ及び第二枠体５０ｆの間に位置している立壁部１０ｂと、立壁部１０ｂの下端から屈曲して延出し第一枠体５０ｅの底面部５５の下方に位置している第一下端部１１と、立壁部１０ｂの上端から第一下端部１１と同一の方向に延出して第一枠体５０ｅの上面部５１に上方から引掛けられて係止されている第一枠係止部１２と、立壁部１０ｂの上端から、第一枠体５０ｅ及び第二枠体５０ｆの上面部５１より高い高さまで突出している平板状の雪止め部２０と、立壁部１０ｂの下端から第一下端部１１とは反対の方向に延出していると共に上方に突出し、第二枠体５０ｆの側面部５３に当接している第二枠当接部２３とを備えており、第一枠体５０ｅ及び第二枠体５０ｆは、それぞれの底面部５５の下方に空隙が形成されるように屋根面に固定されている雪止め構造、である。
【００５５】
第四実施形態の雪止め具４及び雪止め構造によっても、第一実施形態〜第三実施形態と同様の作用効果を得ることができる。
【００５６】
以上、本発明について好適な実施形態を挙げて説明したが、本発明は上記の実施形態に限定されるものではなく、本発明の要旨を逸脱しない範囲において、種々の改良及び設計の変更が可能である。
【００５７】
例えば、上記の第一実施形態及び第二実施形態の構成に加え、更に第二枠当接部を備える雪止め具、つまり、第一枠当接部と第二枠当接部の双方を備えた雪止め具、及び、該雪止め具を使用した雪止め構造とすることができる。
【００５８】
また、上記では、第一枠当接部が平板状で、第二枠当接部が厚みのあるブロック状である場合を図示により例示したが、これに限定されるものではなく、第一枠当接部がブロック状であってもよいし、第二枠当接部が立壁部より離れた位置から上方に立設している平板状の構成であってもよい。
【符号の説明】
【００５９】
１，２，３，４  雪止め具
１０，１０ｂ  立壁部
１１  第一下端部
１２，１２ｂ  第一枠係止部
１３，１３ｂ  第一枠当接部
２０  雪止め部
２１  第二下端部
２３  第二枠当接部
５０ａ，５０ｃ，５０ｅ  第一枠体
５０ｂ，５０ｄ，５０ｆ  第二枠体
５４，５４ｂ  枠突出部
Ｐ  太陽電池パネル
【先行技術文献】
【特許文献】
【００６０】
【特許文献１】特許第３７７６６３１号公報
【図１】
2015045128.tif 000003
【図２】
2015045128.tif 000004
【図３】
2015045128.tif 000005
【図４】
2015045128.tif 000006
【図５】
2015045128.tif 000007